(57)【要約】【課題】  容器内に収容したボトル飲料を容器から取り出さずに、そのまま容器を傾斜させることにより、容器内のボトル飲料からグラス等に飲料を注ぐことができるようにしたボトル飲料用保冷保温容器を提供する。【解決手段】  断熱材料から成る下端が閉塞した中空筒状の本体１１と、本体の背面側の上縁から上方に延びる柄部分１２と、柄部分に取り付けられた紐状の固定具１３と、を含んでおり、本体内に挿入されたボトル飲料２０のネック部分２１に固定具１３を巻き付けることにより、ボトル飲料が本体内で保持されるように、ボトル飲料用保冷保温容器１０を構成する。【選択図】  図５
2017221618.tif 000002
【特許請求の範囲】
【請求項１】
第一の断熱材料から成る下端が閉塞した中空筒状の本体と、
前記本体の背面側の上縁から上方に延びる柄部分と、
前記柄部分に取り付けられた紐状の固定具と、
を含んでおり、
前記本体内に挿入されたボトル飲料のネック部分に固定具を巻き付けることにより、前記ボトル飲料が本体内で保持される
ことを特徴とする、ボトル飲料用保冷保温容器。
【請求項２】
前記固定具が、チェーンから成ることを特徴とする、請求項１に記載のボトル飲料用保冷保温容器。
【請求項３】
前記固定具が、可撓性材料から成ることを特徴とする、請求項１に記載のボトル飲料用保冷保温容器。
【請求項４】
前記本体が中空円筒状に形成されていることを特徴とする、請求項１から３の何れかに記載のボトル飲料用保冷保温容器。
【請求項５】
前記本体が、竹材から形成されていることを特徴とする、請求項１から４の何れかに記載のボトル飲料用保冷保温容器。
【請求項６】
前記柄部分が前記本体と一体に形成されていることを特徴とする、請求項１から５の何れかに記載のボトル飲料用保冷保温容器。
【請求項７】
前記本体の内周面に、第二の断熱材料から成る断熱シートが備えられていることを特徴とする、請求項１から６の何れかに記載のボトル飲料用保冷保温容器。
【請求項８】
前記本体の内周面または前記断熱シートの内側面または外側面が凹凸形状を有していることを特徴とする、請求項１から７の何れかに記載のボトル飲料用保冷保温容器。
【請求項９】
前記本体の内周面または前記断熱シートの内側面または外側面に、アルミシートが配置されていることを特徴とする、請求項１から８の何れかに記載のボトル飲料用保冷保温容器。
【請求項１０】
前記本体の底面の一部に凹陥部を備えており、
前記底面の凹陥部の領域が水平面に接するように水平面上に置かれたとき、本ボトル飲料用保冷保温容器が倒れない程度に傾斜して自立し、
前記底面の凹陥部以外の領域が水平面に接するように水平面上に置かれたとき、本ボトル飲料用保冷保温容器がほぼ垂直に自立することを特徴とする、請求項１から９の何れかに記載のボトル飲料用保冷保温容器。
【請求項１１】
前記固定具は、その一端が前記柄部分の下端付近に固定されていて、前記本体内に挿入されたボトル飲料のネック部分を巻回して、前記柄部分の下端付近に設けられた貫通穴を通って、前記柄部分の背面側に沿って上方に延びており、その他端が前記柄部分の上端付近に固定されていることを特徴とする、請求項１から１０の何れかに記載のボトル飲料用保冷保温容器。
【請求項１２】
前記本体の正面側の上縁から下方に延びる切欠き部を備えていることを特徴とする、請求項１から１１の何れかに記載のボトル飲料用保冷保温容器。
【発明の詳細な説明】
【技術分野】
【０００１】
本発明は、例えば卓上でワイン等のボトル飲料を保冷または保温するためのボトル飲料用保冷保温容器に関するものである。
【背景技術】
【０００２】
一般に、食卓で例えばワインを保冷するために、所謂ワインクーラーが使用される。
従来のワインクーラーは、例えば氷水を満たした容器内に、ワインボトルを浸漬することにより、ワインボトル内のワインが保冷される。
そして、ワインボトルからワインをグラスに注ぐ際には、ワインボトルを容器から取り出して傾けることにより、ワインをグラスに注ぐ。その際、ワインボトルが氷水で濡れていることから、ワインボトルをナプキン等で拭く等の作業が必要となり、扱いが煩雑であった。
これに対して、氷水を使用せずに、保冷または保温すべきボトル飲料のボトルサイズより一回り大きい中空円筒状に形成し、保温シートや断熱シートを内部に配置した簡易型のワインクーラーも広く市販されている。
このような簡易型のワインクーラーにおいては、ワインクーラー内に前もって冷やしたワインボトルを収容する。これにより、周囲の比較的高い温度の空気が直接にワインボトルの表面に接触しないので、ワインクーラー内のワインボトルの温度上昇が抑制され、比較的長い時間に亘って、ワインボトル内のワインが適温に保冷され得ることになる。
【先行技術文献】
【特許文献】
【０００３】
【特許文献１】特開2010-148714号公報
【発明の概要】
【発明が解決しようとする課題】
【０００４】
ところで、このような簡易型のワインクーラーにおいても、例えばワインボトルからワインをグラスに注ぐ際には、ワインボトルをワインクーラーから取り出して、ワインをグラスに注ぐようになっている。
また、このようなワインクーラーを使用する場合に、ワインクーラー内にワインボトルを収容したまま、ワインクーラーを傾斜させて、ワインクーラー内のワインボトルからグラスにワインを注ごうとすると、ワインボトルがワインクーラー内に固定されていないことから、ワインボトルがワインクーラーから脱落してしまう。
【０００５】
本発明は、以上の点に鑑み、容器内に収容したボトル飲料を容器から取り出さずに、そのまま容器を傾斜させることにより、容器内のボトル飲料からグラス等に飲料を注ぐことができるようにしたボトル飲料用保冷保温容器を提供することを目的としている。
【課題を解決するための手段】
【０００６】
上記目的は、本発明の構成によれば、第一の断熱材料から成る下端が閉塞した中空筒状の本体と、本体の背面側の上縁から上方に延びる柄部分と、柄部分に取り付けられた紐状の固定具と、を含んでおり、本体内に挿入されたボトル飲料のネック部分に固定具を巻き付けることにより、ボトル飲料が本体内で保持されることを特徴とする、ボトル飲料用保冷保温容器により、達成される。
【０００７】
上記構成によれば、中空筒状に形成された本体内に収容されたボトル飲料は、第一の断熱材料から成る本体により、ボトル飲料の温度に応じて、外部からの熱伝導または熱放射あるいは外部への熱伝導または熱放射が低減されることにより、ボトル飲料内の飲料が保冷または保温されることになる。
そして、本体内に収容されたボトル飲料は、そのネック部分に紐状の固定具が巻き付けられることにより、柄部分に対して保持される。従って、ボトル飲料を収容した状態で本体が傾斜され、ボトル飲料の先端からグラス等に対してボトル飲料内の飲料を注ぐことが可能である。その際、ボトル飲料は本体と一体の柄部分に対して保持されているので、ボトル飲料が本体から脱落してしまうようなことはない。
従って、ボトル飲料からグラス等に飲料を注ぐ際に、その都度ボトル飲料を本体から取り出す必要がなく、本体内に収容されたボトル飲料から直接にグラス等に飲料を注ぐことが可能であると共に、グラス等に飲料を注いだ後に再び本体内にボトル飲料を戻す必要がないので、本体内で保冷されまたは保温されたボトル飲料の取扱いが極めて容易になる。
【０００８】
本発明によるボトル飲料用保冷保温容器は、好ましくは、固定具がチェーンから成ることを特徴とする。
本発明によるボトル飲料用保冷保温容器は、好ましくは、固定具が可撓性材料から成ることを特徴とする。
これらの構成によれば、固定具としてチェーンまたは可撓性材料を使用することによって、本体内に収容されたボトル飲料のネック部分に容易に固定具を巻き付けることができる。
【０００９】
本発明によるボトル飲料用保冷保温容器は、好ましくは、本体が中空円筒状に形成されていることを特徴とする。
この構成によれば、本体が中空円筒状に形成されていることにより、より小さい断面積で強度が高い本体を得ることが可能となる。
【００１０】
本発明によるボトル飲料用保冷保温容器は、好ましくは、本体が竹材から形成されていることを特徴とする。
この構成によれば、竹材という自然の材料を使用することにより、ボトル飲料を保持するだけの剛性及び断熱性を備えると共に、環境保全のために有利で、しかも美的外観に優れた本体を容易に形成することが可能である。
【００１１】
本発明によるボトル飲料用保冷保温容器は、好ましくは、柄部分が本体と一体に形成されていることを特徴とする。
この構成によれば、より簡単な構成により、低コストでボトル飲料用保冷保温容器を構成することができる。
【００１２】
本発明によるボトル飲料用保冷保温容器は、好ましくは、本体の内周面に第二の断熱材料から成る断熱シートが備えられていることを特徴とする。
この構成によれば、本体を構成する第一の断熱材料と相まって、本体内に収容されるボトル飲料と本体の内周面との間に断熱シートが存在することによって、より一層本体の保冷性または保温性に優れた本体を構成することができる。
【００１３】
本発明によるボトル飲料用保冷保温容器は、好ましくは、本体の内周面または断熱シートの内側面または外側面が凹凸形状を有していることを特徴とする。
この構成によれば、本体内に収容されるボトル飲料と本体の内周面との間で、凹凸形状の間隙内に空気が介在するので、本体内に収容されるボトル飲料と本体外側の周辺空気との間の熱伝導性が低減され、より一層保冷性または保温性が高められることになる。
【００１４】
本発明によるボトル飲料用保冷保温容器は、好ましくは、本体の内周面または断熱シートの内側面または外側面に、アルミシートが配置されていることを特徴とする。
この構成によれば、本体内に収容されるボトル飲料と本体の内周面との間に、輻射熱の反射に優れたアルミシートが介在することにより、本体内に収容されるボトル飲料と本体外側の周辺空気との間の熱放射が低減されるので、より一層保冷性または保温性が高められることになる。
【００１５】
本発明によるボトル飲料用保冷保温容器は、好ましくは、本体の底面の一部に凹陥部を備えており、底面の凹陥部の領域が水平面に接するように水平面上に置かれたとき、本ボトル飲料用保冷保温容器が倒れない程度に傾斜して自立し、底面の凹陥部以外の領域が水平面に接するように水平面上に置かれたとき、本ボトル飲料用保冷保温容器がほぼ垂直に自立することを特徴とする。
この構成によれば、本体底面の凹陥部の領域または他の領域が例えば食卓上の水平面に接するように、本体が直立した状態または傾斜した状態で自立するので、変化に富んだ使用形態で使用することが可能となると共に、傾斜した状態で本体が自立することにより、本体内に収容されたボトル飲料の表面に沿った自然対流が垂直方向から傾斜することによって、自然対流が抑制され、より一層保冷性または保温性が高められることになる。
【００１６】
本発明によるボトル飲料用保冷保温容器は、好ましくは、固定具は、その一端が柄部分の下端付近に固定されていて、本体内に挿入されたボトル飲料のネック部分を巻回して、柄部分の下端付近に設けられた貫通穴を通って、柄部分の背面側に沿って上方に延びており、その他端が柄部分の上端付近に固定されていることを特徴とする。
【００１７】
この構成によれば、固定具がボトル飲料のネック部分を巻回することにより、本体内に収容されたボトル飲料をネック部分でも本体側に保持すると共に、固定部の柄部分の背面側に沿って上方に延びる部分と柄部分との間に、使用者が手を差し入れ且つ手で柄部分を握ることにより、柄部分を握る手の甲側が固定具により支持されることになる。
従って、使用者は柄部分を把持することにより、柄部分をあまり強く握らなくても、安定して柄部分を保持し且つ容易に持ち上げることができる。
【００１８】
このとき、柄部分を握った手の表側に沿って固定具が延びることにより、固定具が滑り防止の効果も奏することになり、より安定した状態で本保冷保温容器の柄部分を把持することができる。
さらに、握った柄部分を傾けたとき、ボトル飲料の重さが本体から固定具を介して柄部分に分散して負荷されることになるので、本保冷保温容器を傾ける際のモーメントが小さくなり、本保冷保温容器の取扱いが容易になる。
【００１９】
本発明によるボトル飲料用保冷保温容器は、好ましくは、本体の正面側の上縁から下方に延びる切欠き部を備えていることを特徴とする。
この構成によれば、この切欠き部から本体内に収容されたボトル飲料が見えるので、ボトル飲料に貼り付けられたラベルを容易に視認することができると共に、ボトル飲料内の飲料の残量をも容易に確認することができる。
【発明の効果】
【００２０】
このようにして、本発明によれば、容器内に収容したボトル飲料を容器から取り出さずに、そのまま容器を傾斜させることにより、容器内のボトル飲料からグラス等に飲料を注ぐことができるようにしたボトル飲料用保冷保温容器を提供することができる。
【図面の簡単な説明】
【００２１】
【図１】本発明によるボトル飲料用保冷保温容器の第一の実施形態の構成を示す正面図である。
【図２】図１のボトル飲料用保冷保温容器を示す右側面図である。
【図３】図２のボトル飲料用保冷保温容器の底部付近を拡大して示す部分拡大側面図である。
【図４】図３のボトル飲料用保冷保温容器の底部を示す底面図である。
【図５】図１のボトル飲料用保冷保温容器の使用状態を示す正面図である。
【図６】図５のボトル飲料用保冷保温容器を示す右側面図である。
【図７】図６のボトル飲料用保冷保温容器を傾けて飲料をグラス等に注ぐ状態を示す側面図である。
【図８】図６のボトル飲料用保冷保温容器の傾斜自立状態を示す右側面図である。
【図９】本発明によるボトル飲料用保冷保温容器の第二の実施形態の構成を示す右側面図である。
【図１０】図９のボトル飲料用保冷保温容器の底部付近を拡大して示す部分拡大側面図である。
【図１１】図１０のボトル飲料用保冷保温容器の底部を示す底面図である。
【図１２】図９のボトル飲料用保冷保温容器の傾斜自立状態を示す右側面図である。
【発明を実施するための形態】
【００２２】
図１及び図２は、本発明によるボトル飲料用保冷保温容器の第一の実施形態の構成を示している。
図１及び図２において、ボトル飲料用保冷保温容器１０は、下端が閉塞した中空円筒状の本体１１と、本体１１の背面側から上方に延びている柄部分１２と、柄部分１２の背面側に取り付けられた固定具１３と、から構成されている。
【００２３】
本体１１は、図示の場合、第一の断熱材料としての竹材から構成されており、その節１１ａが下端付近に位置することにより、下端が閉塞している。
さらに、本体１１は、その正面側の上縁から下方に先細になるように延びる切欠き部１１ｂを備えている。
【００２４】
また、本体１１は、その内周面に、第二の断熱材料から成る断熱シート１４を備えている。
第二の断熱材料としては、例えばエアキャップ，プチプチ等の登録商標を付された気泡緩衝材シートが使用される。
気泡緩衝材は、その片面に整列した多数の短い円柱状の空気室を備えるように形成されており、その片面または両面にアルミシートが蒸着，接着等により配置されている。
そして、気泡緩衝材は、例えば半径方向内側に円柱状の空気室による凹凸形状を備えるように本体１１の内周面に沿って配置される。
【００２５】
切欠き部１１ｂは、本体１１内に収容されるボトル飲料（図５参照）の一部を露出させて、これによりボトル飲料のボトル側面に貼付されたラベルを視認できるように、あるいはボトル飲料のボトル内の飲料の残量を確認できるようになっている。
【００２６】
本体１１は、図３及び図４に詳細に示すように、底面の後側に、段差により形成された凹陥部１１ｃを備えている。
この凹陥部１１ｃは、その高さと奥行によって決まる三箇所の支持点Ａ，Ｂ及びＣがなす角度θが、後述するようにボトル飲料が本体１１内に収容された状態で後方に傾斜して自立するように、選定されている。
【００２７】
柄部分１２は、本体１１の背面側の上縁から上方に延びており、本体１１と同じ竹材から構成され、且つ本体１１と一体に形成されている。
そして、柄部分１２は、その下端付近に前後方向に貫通する貫通穴１２ａを、またその上端付近に同様に前後方向に貫通する取付穴１２ｂを備えている。
なお、柄部分１２は、本体１１と別体に形成されていてもよく、また本体１１とは異なる材料によって構成されていてもよい。
【００２８】
固定具１３は、図示の場合、チェーンから構成されており、その一端が、柄部分１２の貫通穴１２ａを後側から前側に通して柄部分１２の前側で環状に配置されて、貫通穴１２ａに対して適宜の手段により固定されていると共に、その他端が、柄部分１２の後側に沿って上方に延び、柄部分１２の取付穴１２ｂに適宜の手段により固定されている。
なお、固定具１３の配置が貫通穴１２ａと取付穴１２ｂとで上下逆となる配置、つまり、環状固定具１３の一端が柄部分１２の取付穴１２ｂを後側から前側に通して柄部分１２の前側で環状に配置されていてもよい。
ここで、固定具１３の長さは、柄部分１２の貫通穴１２ａから前側に露出している部分１３ａが、本体１１内に収容されたボトル飲料のネック部分に巻回された状態において、固定具１３の柄部分１２の後側で上方に延びる部分１３ｂの弛みが、柄部分１２を把持する使用者の手の甲側に軽く接触する程度に選定されている。
これにより、使用者が手を柄部分１２と固定具１３の部分１３ｂとの間に手を挿入し、柄部分１２を握った状態で、固定具１３の部分１３ｂが使用者の手の甲側に軽く接触して支持することになる。
【００２９】
本発明によるボトル飲料用保冷保温容器１０は、以上のように構成されており、以下のように動作する。
即ち、図５及び図６に示すように、本体１１の中に、ボトル飲料としてのワインボトル２０が挿入される。
そして、ワインボトル２０のネック部分２１に、固定具１３の前側に露出した部分１３ａが巻き付けられることにより、ワインボトル２０は、その下部が本体１１内に保持されると共に、上部がネック部分２１にて固定具１３により本体１１と一体化した柄部分１２の下端（即ち、本体１１の上端）付近に保持される。
なお、上記記述にある固定具１３が貫通穴１２ａと取付穴１２ｂに対して上下逆転した配置の場合は、ワインボトル２０はの上部は柄部分１２の上端（即ち、本体１１の上端）に保持される。
【００３０】
この状態において、本体１１は、その底面の平坦な領域１１ｄが食卓等の水平面３０上に接するように、ほぼ垂直に直立した状態で自立する。
そして、ワインボトル２０は、その周面が本体１１及びその内側に配置された断熱シート１４により覆われている。従って、本体１１自体も断熱性を備えた竹材により構成されていることと相まって、ワインボトル２０内のワインと外気との間の熱伝導，熱放射が低減されるので、ワインボトル２０内のワインが冷えた状態で維持され、保冷される。
【００３１】
また、断熱シート１４が気泡緩衝材である場合には、その空気室による凹凸形状によって、ワインボトル２０の外面における自然対流が抑制され、より一層保温性が高められることになる。
さらに、本体１１内に挿入されたワインボトル２０は、その前側の一部が切欠き部１１ｂにより露出している。これにより、ワインボトル２０のラベルが切欠き部１１ｂを介して視認され得ると共に、ワインボトル２０内のワインの残量が確認され得る。
【００３２】
この状態から、ワインボトル２０を持ち上げて例えばグラスにワインを注ぐ場合には、使用者は、まず柄部分１２及びその後ろ側に位置する固定具１３の部分１３ｂの間に手４０を入れて柄部分１２を握る。このとき、使用者の手４０は、その甲側に固定具１３の部分１３ｂが接触することによって、柄部分１２に対して補助的に支持されることになる。これにより、使用者は、手４０により柄部分１２をあまり強く把持せずに、ワインボトル２０を収容した本体１１及び柄部分１２を安定した状態で把持することができる。
【００３３】
そして、本体１１を図７に示すように前面側が下方になるように傾斜させて、ワインボトル２０からワインをグラスに注ぐことができる。
このとき、ワインボトル２０の下端が本体１１内に保持され且つその状態がネック部分２１で固定具１３により本体１１に対して保持されているので、使用者は、柄部分１２を把持することにより、本体１１内のワインボトル２０を安定して支持することができる。
このようにして、ワインボトル２０を本体１１から取り出すことなく、ワインボトル２０からグラスにワインを注ぐことができるので、煩雑さが排除され、ワインを注ぐ際の取扱いが簡便になる。
【００３４】
また、本体１１がほぼ垂直に直立して自立した状態から、図８に示すように、本体１１を角度θだけ後傾させることにより、本体１１の凹陥部１１ｃの領域、即ち支持点Ａ，Ｂ及びＣを食卓等の水平面３０上に接触させると、本体１１は、その底面の凹陥部１１ｃの領域が食卓等の水平面３０上に接触して、後方に傾斜した状態で自立する。
これにより、本体１１は、ワインボトル２０を収容した状態で、直立した状態または後傾した状態で自立することが可能であるので、食卓等の上で変化に富んだ使用状態で使用することが可能となる。
また、このように本体１１が後傾した状態で自立することにより、本体１１内に収容されたワインボトル２０の周面も傾斜することになり、その表面に発生する自然対流も垂直ではなく傾斜することになるので、自然対流が抑制され、より一層保冷性が高められることになる。
【００３５】
このようにして、本発明によるボトル飲料用保冷保温容器１０によれば、本体１１内に収容されたボトル飲料のネック部分が固定具により本体側に保持されているので、本体１１を傾斜させてもボトル飲料が本体１１から脱落するようなことがない。
従って、例えばワインボトル等のボトル飲料をグラスに注ぐ際に、その都度ボトル飲料を本体１１から取り出す必要がなく、本体１１にボトル飲料を収容したままで、ボトル飲料をグラス等に注ぐことができるので、取扱が容易となる。
【００３６】
図９は、本発明によるボトル飲料用保冷保温容器の第二の実施形態の構成を示している。
図９において、ボトル飲料用保冷保温容器５０は、図１から図４に示した第一の実施形態におけるボトル飲料用保冷保温容器１０と比較して、本体１１の底部後方に設けられた凹陥部が異なる形状である点を除いては、ボトル飲料用保冷保温容器１０とほぼ同様の構成であり、同じ構成要素には同じ符号を付して、その説明を省略する。
本実施形態においては、本体１１の底部後方に設けられた凹陥部１１ｅは、斜面として形成されている。
即ち、図１０及び図１１に詳細に示すように、凹陥部１１ｅは、支持点Ａ及びＢから後方の支持点Ｃに向かってそれぞれ竹材の外周部に沿って傾斜して形成されている。
【００３７】
このような構成のボトル飲料用保冷保温容器５０によれば、図１から図４に示したボトル飲料用保冷保温容器１０と同様に、本体１１の中にボトル飲料として例えばワインボトル２０が挿入され、そのネック部分２１に固定具１３の前側に露出した部分１３ａが巻き付けられて、ワインボトル２０が本体１１内に保持されると共に、そのネック部分が固定具１３により柄部分１２の下端付近に保持される。
なお、上記記述にある固定具１３が貫通穴１２ａと取付穴１２ｂに対して上下逆転した配置の場合は、ワインボトル２０はの上部は柄部分１２の上端（即ち、本体１１の上端）に保持される。
【００３８】
これにより、本体１１は、その底面の平坦な領域１１ｄが食卓等の水平面３０上に接するように、ほぼ垂直に直立した状態で自立する。
ワインボトル２０からグラス等にワインを注ぐ場合には、使用者は、まず柄部分１２及びその後ろ側に位置する固定具１３の部分１３ｂの間に手４０を入れて柄部分１２を握る。
この状態から、本体１１を前面側が下方になるように傾斜させて、ワインボトル２０からワインをグラスに注ぐことができる。このとき、使用者は、柄部分１２を把持することにより、本体１１内のワインボトル２０を安定して支持することができる。
【００３９】
また、本体１１がほぼ垂直に直立して自立した状態から、図１２に示すように、本体１１を角度θだけ後傾させることにより、本体１１の凹陥部１１ｅの領域、即ち支持点Ａ，ＢとＣの間の斜面の領域を食卓等の水平面３０上に接触させると、本体１１は、その底面の凹陥部１１ｃの領域が食卓等の水平面３０上に接触して、後方に傾斜した状態で自立する。
【００４０】
本発明はその趣旨を逸脱しない範囲において様々な形態で実施することができる。
例えば、上述した実施形態においては、ボトル飲料としてワインボトル２０を保冷する場合について説明したが、これに限らず、他の種類のボトル飲料であってもよく、また保冷に限らず、温められたボトル飲料を保温するようにしてもよいことは明らかである。
温められたボトル飲料を保温する場合には、ボトル飲料から放射される熱に関して、断熱シート１４及び本体１１によって、熱伝導及び熱放射が低減されることにより、ボトル飲料が効率良く保温されることになる。
【００４１】
上述した実施形態においては、本体１１及び柄部分１２は、一体に形成されているが、これに限らず、本体１１及び柄部分１２は別体に形成されていてもよい。この場合、本体１１と柄部分１２は同じ材料により形成されている必要はない。
上述した実施形態においては、本体１１は第一の断熱材料として竹材から形成されているが、これに限らず、本体１１は、ボトル飲料２０を保持し得る程度の剛性を備えていれば、他の任意の断熱材料から構成されていてもよい。
【００４２】
上述した実施形態においては、本体１１は、下端が閉塞した中空円筒状に形成されているが、これに限らず、ボトル飲料を収容できるものであれば、下端が閉塞した中空の四角柱あるいは多角柱の断面を有する筒状に形成されていてもよい。
上述した実施形態においては、固定具１３はチェーンから構成されているが、これに限らず、可撓性を有していれば、他の材料、例えば革紐等の他の紐状の材料により構成されていてもよい。
【００４３】
上述した実施形態においては、本体１１の内周面に、断熱シート１４として、片面または両面にアルミシートを有する気泡緩衝材シートが備えられているが、これに限らず、アルミシートのない気泡緩衝材シートが使用されてもよく、あるいはハニカム構造断熱シートが使用されてもよい。
ここで、ハニカム構造断熱シートは、断面が六角形の空気室が横方向に一列または複数列並ぶように可撓性材料から形成されており、空気室が上下方向に延びるように本体１１の内周面に沿って配置される。
また、断熱シート１４を構成する第二の断熱材料は、保冷または保温すべきボトル飲料２０が本体１１により保持されているので、ボトル飲料２０を保持する剛性を備えている必要はない。
さらには、断熱シート１４は、省略されてもよい。
【００４４】
上述した実施形態においては、本体１１の底部の後側に段差による凹陥部１１ｃまたは斜面による凹陥部１１ｅが設けられているが、これに限らず、凹陥部は本体１１の後傾状態を規制するためのものであり、支持点Ａ，Ｂ及びＣが存在すれば、これらの段差または斜面の形状である必要はなく、支持点Ａ，Ｂ及びＣの間の領域が凹状等の他の形状に形成されていてもよい。
【００４５】
以上述べたように、本発明によれば、容器内に収容したボトル飲料を容器から取り出さずに、そのまま容器を傾斜させることにより、容器内のボトル飲料からグラス等に飲料を注ぐことができるようにした、極めて優れたボトル飲料用保冷保温容器が提供される。
【符号の説明】
【００４６】
１０，５０    ボトル飲料用保冷保温容器
１１    本体
１１ａ  節
１１ｂ  切欠き部
１１ｃ，１１ｅ  凹陥部
１１ｄ  底面の平坦な領域
１２    柄部分
１２ａ  貫通穴
１２ｂ  取付穴
１３    固定具
１３ａ  固定具の前側に露出した部分
１３ｂ  固定具の柄部分の背面側に位置する部分
１４    断熱シート
２０    ワインボトル
２１    ネック部分
３０    水平面
４０    使用者の手
【図１】
2017221618.tif 000003
【図２】
2017221618.tif 000004
【図３】
2017221618.tif 000005
【図４】
2017221618.tif 000006
【図５】
2017221618.tif 000007
【図６】
2017221618.tif 000008
【図７】
2017221618.tif 000009
【図８】
2017221618.tif 000010
【図９】
2017221618.tif 000011
【図１０】
2017221618.tif 000012
【図１１】
2017221618.tif 000013
【図１２】
2017221618.tif 000014
【手続補正書】
【提出日】平成29年2月26日(2017.2.26)
【手続補正１】
【補正対象書類名】特許請求の範囲
【補正対象項目名】全文
【補正方法】変更
【補正の内容】
【特許請求の範囲】
【請求項１】
第一の断熱材料から成る下端が閉塞した中空筒状の本体と、  前記本体の背面側の上縁から上方に延びる柄部分と、  前記柄部分に取り付けられた紐状の固定具と、を含んでおり、  前記本体内に挿入されたボトル飲料のネック部分に固定具を巻き付けることにより、前記ボトル飲料が本体内で保持され，  前記固定具は、その一端が前記柄部分の上端付近に固定されているとともに、当該一端から前記柄部分の背面側に沿って下方に延びており、  その他端は、前記柄部分の下端付近に設けられた貫通穴を通って、前記本体の内側に位置する部分が前記貫通穴を抜けない態様で固定されており、前記ボトル飲料が前記本体に挿入された状態において、前記本体の内側に位置する部分が当該ボトル飲料のネック部分を巻回して当該ボトル飲料を固定することを特徴とする、ボトル飲料用保冷保温容器。
【請求項２】
前記固定具が、チェーンから成ることを特徴とする、請求項１に記載のボトル飲料用保冷保温容器。
【請求項３】
前記固定具が、可撓性材料から成ることを特徴とする、請求項１に記載のボトル飲料用保冷保温容器。
【請求項４】
前記本体が中空円筒状に形成されていることを特徴とする、請求項１から３の何れかに記載のボトル飲料用保冷保温容器。
【請求項５】
前記本体が、竹材から形成されていることを特徴とする、請求項１から４の何れかに記載のボトル飲料用保冷保温容器。
【請求項６】
前記柄部分が前記本体と一体に形成されていることを特徴とする、請求項１から５の何れかに記載のボトル飲料用保冷保温容器。
【請求項７】
前記本体の内周面に、第二の断熱材料から成る断熱シートが備えられていることを特徴とする、請求項１から６の何れかに記載のボトル飲料用保冷保温容器。
【請求項８】
前記本体の内周面または前記断熱シートの内側面または外側面が凹凸形状を有していることを特徴とする、請求項１から７の何れかに記載のボトル飲料用保冷保温容器。
【請求項９】
前記本体の内周面または前記断熱シートの内側面または外側面に、アルミシートが配置されていることを特徴とする、請求項１から８の何れかに記載のボトル飲料用保冷保温容器。
【請求項１０】
前記本体の底面の一部に凹陥部を備えており、  前記底面の凹陥部の領域が水平面に接するように水平面上に置かれたとき、本ボトル飲料用保冷保温容器が倒れない程度に傾斜して自立し、  前記底面の凹陥部以外の領域が水平面に接するように水平面上に置かれたとき、本ボトル飲料用保冷保温容器がほぼ垂直に自立することを特徴とする、請求項１から９の何れかに記載のボトル飲料用保冷保温容器。
【請求項１１】
前記本体の正面側の上縁から下方に延びる切欠き部を備えていることを特徴とする、請求項１から１０の何れかに記載のボトル飲料用保冷保温容器。  
【手続補正２】
【補正対象書類名】図面
【補正対象項目名】図９
【補正方法】変更
【補正の内容】
【図９】
2017221618.tif 000015
【手続補正書】
【提出日】平成29年5月26日(2017.5.26)
【手続補正１】
【補正対象書類名】特許請求の範囲
【補正対象項目名】全文
【補正方法】変更
【補正の内容】
【特許請求の範囲】
【請求項１】
第一の断熱材料から成る下端が閉塞した中空筒状の本体と、
前記本体の背面側の上縁から上方に延びる柄部分と、
前記柄部分に取り付けられた紐状の固定具と、
を含んでおり、
前記本体内に挿入されたボトル飲料のネック部分に固定具を巻き付けることにより、前記ボトル飲料が本体内で保持され，
前記固定具は、その一端が前記柄部分の上端付近に固定されているとともに、当該一端から前記柄部分の背面側に沿って下方に延びており、
その他端は円環状を成し、前記柄部分の下端付近に設けられた貫通穴を通って、前記本体の内側に位置する円環状の部分が前記貫通穴を抜けない態様で前記貫通穴によって保持されており、
前記ボトル飲料が前記本体に挿入された状態において、前記本体の内側に位置する円環状の部分に当該ボトル飲料のネック部分が挿入されて当該ボトル飲料を固定する
ことを特徴とする、ボトル飲料用保冷保温容器。
【請求項２】
前記固定具が、チェーンから成ることを特徴とする、請求項１に記載のボトル飲料用保冷保温容器。
【請求項３】
前記固定具が、可撓性材料から成ることを特徴とする、請求項１に記載のボトル飲料用保冷保温容器。
【請求項４】
前記本体が中空円筒状に形成されていることを特徴とする、請求項１から３の何れかに記載のボトル飲料用保冷保温容器。
【請求項５】
前記本体が、竹材から形成されていることを特徴とする、請求項１から４の何れかに記載のボトル飲料用保冷保温容器。
【請求項６】
前記柄部分が前記本体と一体に形成されていることを特徴とする、請求項１から５の何れかに記載のボトル飲料用保冷保温容器。
【請求項７】
前記本体の内周面に、第二の断熱材料から成る断熱シートが備えられていることを特徴とする、請求項１から６の何れかに記載のボトル飲料用保冷保温容器。
【請求項８】
前記本体の内周面または前記断熱シートの内側面または外側面が凹凸形状を有していることを特徴とする、請求項７に記載のボトル飲料用保冷保温容器。
【請求項９】
前記本体の内周面または前記断熱シートの内側面または外側面に、アルミシートが配置されていることを特徴とする、請求項７に記載のボトル飲料用保冷保温容器。
【請求項１０】
前記本体の底面の一部に凹陥部を備えており、
前記底面の凹陥部の領域が水平面に接するように水平面上に置かれたとき、本ボトル飲料用保冷保温容器が倒れない程度に傾斜して自立し、
前記底面の凹陥部以外の領域が水平面に接するように水平面上に置かれたとき、本ボトル飲料用保冷保温容器がほぼ垂直に自立することを特徴とする、請求項１から９の何れかに記載のボトル飲料用保冷保温容器。
【請求項１１】
前記本体の正面側の上縁から下方に延びる切欠き部を備えていることを特徴とする、請求項１から１０の何れかに記載のボトル飲料用保冷保温容器。